(57)【要約】【課題】保冷される箱型荷台を有する車両の空力性能の低下を抑制する。【解決手段】車両１は、キャブ２０の後方に設けられた箱型荷台３０と、キャブ２０と箱型荷台３０の間の空間に鉛直方向に沿ったパネルとして設けられ、箱型荷台３０の内部を保冷するための冷媒とパネルに沿って流れる空気とを熱交換するコンデンサ４４と、を備え、コンデンサ４４は、パネルの内部に主面に沿って形成され冷媒が流れる冷媒通路４４ｄを有する。【選択図】図１
2019069642.tif 000002
【特許請求の範囲】
【請求項１】
キャブの後方に設けられた箱型荷台と、
前記キャブと前記箱型荷台の間の空間に鉛直方向に沿ったパネルとして設けられ、前記箱型荷台の内部を保冷するための冷媒と前記パネルに沿って流れる空気とを熱交換する熱交換器と、
を備え、
前記熱交換器は、前記パネルの内部に主面に沿って形成され前記冷媒が流れる冷媒通路を有する、
車両。
【請求項２】
前記熱交換器は、前記箱型荷台の前壁面に沿って設けられており、前記前壁面に離間した状態で支持されている、
請求項１に記載の車両。
【請求項３】
前記冷媒通路は、前記主面に対して前記鉛直方向又は前記車両の車幅方向に沿って凸状に設けられた凸部の内部に形成されており、
前記凸部は、前記熱交換器の両側又は片側の主面に設けられている、
請求項１又は２に記載の車両。
【請求項４】
前記熱交換器と前記キャブの間に設けられ、前記主面に対向する板状の保護板を更に備える、
請求項１から３のいずれか１項に記載の車両。
【請求項５】
前記熱交換器の端部に設けられ、前記熱交換器に向かって空気を流すファンを更に備え、
前記ファンは、前記車両の停止時に動作する、
請求項１から４のいずれか１項に記載の車両。
【発明の詳細な説明】
【技術分野】
【０００１】
本発明は、キャブの後方に箱型荷台が設けられた車両に関する。
【背景技術】
【０００２】
近年、車両として、食料品等を冷蔵状態または冷凍状態で輸送する冷蔵・冷凍車（トラック）が普及している。このような車両においては、キャブの後方に、冷蔵室や冷凍室を内部に有する箱型荷台が設けられており、冷媒によって冷蔵室等を保冷している。冷媒は、熱交換器であるコンデンサによって、外部の空気と熱交換されることで冷却されている。
【先行技術文献】
【特許文献】
【０００３】
【特許文献１】特開平１１−９１４３３号公報
【発明の概要】
【発明が解決しようとする課題】
【０００４】
ところで、上記の熱交換器（例えば、チューブ・フィンタイプのコンデンサ）は、通常、箱型荷台の前面上方に前方へ突出するように配置されている。このように熱交換器が配置された場合には、車両の走行時に、車両前方からの空気（走行風）が熱交換器に当たることで空気抵抗が増大するため、車両の空力性能が低下してしまう。また、上記の熱交換器は、走行風を引き込むため、空力性能を悪化させやすい。
【０００５】
そこで、本発明はこれらの点に鑑みてなされたものであり、保冷される箱型荷台を有する車両の空力性能の低下を抑制することを目的とする。
【課題を解決するための手段】
【０００６】
本発明の一の態様においては、キャブの後方に設けられた箱型荷台と、前記キャブと前記箱型荷台の間の空間に鉛直方向に沿ったパネルとして設けられ、前記箱型荷台の内部を保冷するための冷媒と前記パネルに沿って流れる空気とを熱交換する熱交換器と、を備え、前記熱交換器は、前記パネルの内部に主面に沿って形成され前記冷媒が流れる冷媒通路を有する、車両を提供する。
上記構成の車両によれば、熱交換器が、キャブと箱型荷台の間の空間にパネルとして設けられていることで、車両の前方から流れてくる空気（走行風）が熱交換器に当たることを抑制できる。これにより、従来のチューブ・フィンタイプに比べて熱交換器の搭載位置に起因する空気抵抗を抑制できるので、車両の空力性能の低下を抑制できる。
【０００７】
また、前記熱交換器は、前記箱型荷台の前壁面に沿って設けられており、前記前壁面に離間した状態で支持されていることとしてもよい。
【０００８】
また、前記冷媒通路は、前記主面に対して前記鉛直方向又は前記車両の車幅方向に沿って凸状に設けられた凸部の内部に形成されており、前記凸部は、前記熱交換器の両側又は片側の主面に設けられていることとしてもよい。
【０００９】
また、前記車両は、前記熱交換器と前記キャブの間に設けられ、前記主面に対向する板状の保護板を更に備えることとしてもよい。
【００１０】
また、前記車両は、前記熱交換器の端部に設けられ、前記熱交換器に向かって空気を流すファンを更に備え、前記ファンは、前記車両の停止時に動作することとしてもよい。
【発明の効果】
【００１１】
本発明によれば、保冷される箱型荷台を有する車両の空力性能の低下を抑制できるという効果を奏する。
【図面の簡単な説明】
【００１２】
【図１】本発明の一の実施形態に係る車両１の構成を説明するための模式図である。
【図２】車両１に搭載された保冷装置４０の構成を説明するための模式図である。
【図３】コンデンサ４４の箱型荷台３０への取り付け構成を説明するための模式図である。
【図４】コンデンサ４４の構成を説明するための模式図である。
【発明を実施するための形態】
【００１３】
＜車両の構成＞
本発明の一の実施形態に係る車両の概略構成について、図１を参照しながら説明する。
【００１４】
図１は、一の実施形態に係る車両１の構成を説明するための模式図である。車両１は、ここではトラックであり、食料品等を冷蔵状態または冷凍状態で輸送する冷蔵・冷凍車である。車両１は、図１に示すように、エンジン１０と、キャブ２０と、エアデフレクター２２と、箱型荷台３０と、保冷装置４０とを有する。
【００１５】
エンジン１０は、車両１を走行させる動力を発生させる。エンジン１０は、車両１の前後方向に延びている車体フレームの前方に取り付けられている。
【００１６】
キャブ２０は、エンジン１０の上方に位置している。キャブ２０の内部には、運転手等の乗員が座る車室が形成されている。キャブ２０は、車体フレームに対してチルト可能に取り付けられている。キャブ２０をチルトさせた状態で、エンジン１０等の整備が行われる。
【００１７】
エアデフレクター２２は、キャブ２０の上方に設けられている。エアデフレクター２２は、車両１の前方からの空気の流れを整えて、空気の抵抗を下げる機能を有する。エアデフレクター２２の上面は、空気抵抗を低減するような曲面となっている。
【００１８】
箱型荷台３０は、キャブ２０の後方に設けられた箱状の荷台である。箱型荷台３０の内部には、冷蔵室と冷凍室の少なくとも一方が設けられており、保冷装置４０によって保冷状態が保たれている。
【００１９】
保冷装置４０は、箱型荷台３０の内部を保冷するための装置である。保冷装置４０は、冷媒（具体的には、冷媒ガス）を用いて、箱型荷台３０の冷蔵室や冷凍室を保冷する。
【００２０】
図２は、車両１に搭載された保冷装置４０の構成を説明するための模式図である。保冷装置４０は、図２に示すように、コンプレッサ４２と、コンデンサ４４と、エバポレータ４６と、管路４８ａ、４８ｂ、４８ｃとを有する。
【００２１】
コンプレッサ４２は、冷媒を圧縮する圧縮機である。コンプレッサ４２は、キャブ２０の下方に設けられており、エンジン１０の駆動軸にベルト等によって連結されている。これにより、コンプレッサ４２は、エンジン１０によって回転駆動され、冷媒を圧縮する。
【００２２】
コンデンサ４４は、コンプレッサ４２によって圧縮された冷媒を、冷却して凝縮させる凝縮器である。コンデンサ４４は、図１に示すように箱型荷台３０の外部に設けられており、空気（例えば走行風）と冷媒とを熱交換させて冷媒を冷却する。コンデンサ４４は、詳細は後述するが、パネル型の熱交換器である。
【００２３】
エバポレータ４６は、コンデンサ４４によって凝縮された冷媒液を、蒸発させる蒸発器である。エバポレータ４６は、図１に示すように箱型荷台３０の内部に設けられている。エバポレータ４６は、冷媒液を蒸発させる際の気化熱により冷却される。そして、例えばファン（不図示）によってエバポレータ４６を通過する風が、冷風となって箱型荷台３０の内部（冷蔵室や冷凍室）へ送られる。
【００２４】
管路４８ａ、４８ｂ、４８ｃは、コンプレッサ４２、コンデンサ４４及びエバポレータ４６の間で、冷媒を循環させる循環経路を形成している。具体的には、管路４８ａは、コンプレッサ４２で圧縮された冷媒をコンデンサ４４へ送る配管である。管路４８ｂは、コンデンサ４４で凝縮された冷媒液をエバポレータ４６へ送る配管である。管路４８ｃは、エバポレータ４６で蒸発された冷媒をコンプレッサ４２へ送る配管である。なお、管路４８ｂには、冷媒液の気化を促進させる膨張弁（不図示）が設けられている。
【００２５】
＜コンデンサ及び周辺部の詳細構成＞
図３及び図４を参照しながら、コンデンサ４４及び周辺部の詳細構成について説明する。
【００２６】
図３は、コンデンサ４４の箱型荷台３０への取り付け構成を説明するための模式図である。図４は、コンデンサ４４の構成を説明するための模式図である。なお、図４（ａ）には、コンデンサ４４の平面図が示され、図４（ｂ）には図４（ａ）のＡ−Ａ断面図が示されている。
【００２７】
コンデンサ４４は、キャブ２０と箱型荷台３０（具体的には前壁３１）の間の空間に鉛直方向に沿ったパネルとして設けられている（図１参照）。コンデンサ４４は、箱型荷台３０の内部を冷却するための冷媒と、パネル型のコンデンサ４４に沿って流れる空気とを熱交換する。キャブ２０と前壁３１の間の空間を鉛直方向の上方へ向かう空気が、コンデンサ４４に沿って流れる（図３の矢印が、空気の流れを示す）。なお、コンデンサ４４は、箱型荷台３０の前壁３１のほぼ全領域に亘って設けられてもよいし、前壁３１の一部に設けられてもよい。例えば、コンデンサ４４は、箱型荷台３０の内部の冷凍室に対応する位置に設けられてもよい。
【００２８】
コンデンサ４４は、箱型荷台３０の前壁面３１ａに沿って設けられており、前壁面３１ａに離間した状態で支持されている。例えば、コンデンサ４４は、図３に示すように、箱型荷台３０の前壁３１に固定された支持部材５０によって支持されている。これにより、図３の矢印で示すように、コンデンサ４４の両側を空気が流れることになり、コンデンサ４４における空気と冷媒の熱交換が効率良く行われる。
【００２９】
パネル型のコンデンサ４４は、例えばロールボンドパネルである。具体的には、コンデンサ４４は、２枚のアルミシートを圧延・圧着して製造したパネルである。なお、２枚のアルミシートの間には、冷媒が流れる冷媒通路が形成されている。冷媒通路は、例えば、２枚のアルミシートの間を高圧空気で膨らませることで形成される。このように高圧空気で膨らませることで、コンデンサ４４の両側の主面のうち少なくとも片側の主面に凸部が形成される。ここでは、図４（ｂ）に示すように、コンデンサ４４の片側の主面４４ａに凸状の凸部４４ｃが形成されているものとする。
【００３０】
凸部４４ｃは、図４（ａ）に示すように、主面４４ａに複数形成されている。複数の凸部４４ｃは、それぞれ鉛直方向に沿って凸状に形成されている。また、複数の凸部４４ｃは、車幅方向において所定間隔で設けられている。このような凸部４４ｃを設けることで、空気がコンデンサ４４に接触する表面積が大きくなり、空気による冷媒の冷却が促進される。また、凸部４４ｃが鉛直方向に形成されている場合には、空気の流れる向きと平行である（図３参照）ので、車両１の走行時の空力性能の低下を抑制できる。
【００３１】
複数の凸部４４ｃの内部には、図４（ｂ）に示すように、それぞれ冷媒が流れる冷媒通路４４ｄが形成されている。すなわち、冷媒通路４４ｄは、コンデンサ４４の内部に主面４４ａに沿って形成されている。また、冷媒通路４４ｄは、凸部４４ｃが鉛直方向に沿って形成されているため、鉛直方向に沿っている。冷媒通路４４ｄは、管路４８ａ、４８ｂ（図２）と繋がっている。
【００３２】
保護板５２は、コンデンサ４４とキャブ２０の間に設けられており、図３に示すように主面４４ａに対向する板状の部材である。保護板５２は、コンデンサ４４の主面４４ａへ飛来物が当たることを防止する機能を有する。これにより、飛来物によってコンデンサ４４が損傷することを抑制できる。飛来物は、走行中に他の車両（先行車、対向車等）から飛んでくる石等である。なお、保護板５２は、コンデンサ４４の側面にも設けられてもよい。
【００３３】
ファン５４は、図３に示すようにコンデンサ４４の端部に対向するように設けられており、コンデンサ４４に向かって空気を流す。この際、ファン５４は、コンデンサ４４の両面に空気を流させてもよい。ファン５４は、例えばシロッコファンやターボファンなどの遠心ファンであり、箱型荷台３０の前壁３１の下方部に取り付けられている。上記のファン５４を設けることで、コンデンサ４４の主面に沿った空気の流れを促進できる。
【００３４】
また、ファン５４は、車両１の停止時や低速走行時に動作する。これにより、車両１が停止している場合や低速走行時にも、コンデンサ４４に対して空気が流れるので、コンデンサ４４による空気と冷媒の熱交換を効果的に行える。ここでは、ファン５４がコンデンサ４４の鉛直方向における下側端部に対向しているが、これに限定されず、ファン５４がコンデンサ４４の鉛直方向における上側端部に対向するように設けられていてもよい。
【００３５】
なお、上記では、主面４４ａに凸部４４ｃが形成されていることとしたが、これに限定されない。例えば、凸部４４ｃが、主面４４ａの代わりに主面４４ｂに形成されていてもよい。また、凸部４４ｃが、主面４４ａ及び主面４４ｂの両方に形成されていてもよい。
【００３６】
また、上記では、凸部４４ｃが鉛直方向に沿って形成されていることとしたが、これに限定されない。例えば、凸部４４ｃが車両１の車幅方向に沿って形成されていてもよい。この場合には、車幅方向に沿った凸部４４ｃの周囲に空気の乱流が生じやすくなるので、空気による冷媒の冷却が促進される。
【００３７】
＜本実施形態における効果＞
上述した本実施形態の車両１のコンデンサ４４は、内部に冷蔵室や冷凍室を有する箱型荷台３０とキャブ２０の間の空間に、パネル型の熱交換器として設けられている。そして、コンデンサ４４は、パネルに沿って流れる空気と、内部に形成された冷媒通路４４ｄを流れる冷媒とを熱交換する。
上記の構成により、コンデンサ４４が、キャブ２０と箱型荷台３０の間の空間にパネルとして設けられていることで、車両１の前方から流れてくる空気（走行風）がコンデンサ４４に当たることを抑制できる。これにより、従来のチューブ・フィンタイプのコンデンサに比べてコンデンサの搭載位置に起因する空気抵抗を抑制できるので、車両１の空力性能の低下を抑制できる。
【００３８】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００３９】
１    車両
２０    キャブ
３０    箱型荷台
３１    前壁
３１ａ    前壁面
４４    コンデンサ
４４ａ、４４ｂ    主面
４４ｃ    凸部
４４ｄ    冷媒通路
５２    保護板
５４    ファン
【図１】
2019069642.tif 000003
【図２】
2019069642.tif 000004
【図３】
2019069642.tif 000005
【図４】
2019069642.tif 000006